(57)【要約】【課題】  第２の電子機器ユニットの表示部を収納ケース内で使用者側に向けるようにして視認し易い様にすると共に第２の電子機器ユニットを収納ケースの上部に突出させることなく収納可能でコンパクトに構成した電子機器及び電子機器ユニットの排出方法を得る。【解決手段】  本発明は電子機器１の収納ケース３内に第１及び第２の電子機器ユニット２３、２４を収納可能とし、第１の電子機器ユニット２３を収納ケース３から引き出す際に、第２の電子機器ユニット２４に配設した表示部１６ａやディスク挿入口を利用者の視認し易い方向に自動的に向ける様にした電子機器及び電子機器ユニットの排出方法を提供する。【選択図】  図２
2007242651.tif 000002
【特許請求の範囲】
【請求項１】
収納ケース内に少なくとも操作部を有する第１の電子機器ユニット及び少なくとも表示部を有する第２の電子機器ユニットを収納可能にした電子機器に於いて、
前記第１の電子機器ユニットを前記収納ケースの開口部から摺動可能に排出する際に、前記第２の電子機器ユニットの前記表示部を該収納ケース内で使用者側に向けるようにしたことを特徴とする電子機器。
【請求項２】
収納ケース内に第１の電子機器ユニット及び第２の電子機器ユニットを収納可能にした電子機器に於いて、
前記収納ケースに固定され、断面を略コ字状に形成した左右側面の前部に第１の枢着部を有するメインシャーシと、
前記メインシャーシに摺動可能に保持され断面を略コ字状に形成した左右側板の後部に第２の枢着部を設け少なくとも操作部を固定した前記第１の電子機器ユニットを固定する第１の摺動手段と、
断面を略コ字状に形成した左右側板の前方に前記第１の枢着部と回動可能に枢着される第３の枢着部を形成すると共に該左右側板に前後方向に傾斜したガイド溝を形成し、該ガイド溝に前記第２の枢着部を摺動可能に保持し、少なくとも表示部或いは記録媒体の挿入口を有する前記第２の電子機器ユニットを固定する第２の摺動手段とを備えることを特徴とする電子機器。
【請求項３】
請求項２記載の電子機器において、
前記第１の電子機器ユニットを前記収納ケースより引き出した際に前記第２の電子機器ユニットの前記表示部或いは前記記録媒体の挿入口を前記収納ケース内で使用者側に向けるようにしてなることを特徴とする。
【請求項４】
請求項２記載の電子機器において、
前記第２の電子機器ユニットの引き出し状態或いは収納状態を検出する検出手段を有し、該検出手段の検出結果に応じて前記電子機器の電源を制御することを特徴とする。
【請求項５】
収納ケース内に少なくとも操作部を有する第１の電子機器ユニット及び少なくとも表示部を有する第２の電子機器ユニットを収納可能にした電子機器ユニットの排出方法に於いて、
前記第１の電子機器ユニットを前記収納ケースの開口部から摺動して排出する際に、前記第２の電子機器ユニットの前記表示部を該収納ケース内で使用者側に向けるようにしたことを特徴とする電子機器ユニットの排出方法。
【発明の詳細な説明】
【技術分野】
【０００１】
本発明は電子機器及び電子機器ユニットの排出方法に係わり、特に、キーボード等の操作部と、モニタ等の表示部に分離構成された、複数の電子機器ユニットを収納ケースに摺動可能に収納するように成した電子機器及び電子機器ユニットの排出方法に関する。
【背景技術】
【０００２】
従来から、図４に示すように、電子機器５０としての収納ケース５１の内部にはモニタ５２が配設された第２の電子機器ユニット（以下、モニタユニット、ＭＵと記す）５３及びキーボード５４が配設されたスライドテーブルからなる第１の電子機器ユニット（以下、キーボードユニット、ＫＵと記す）５５が収納され、ＭＵ５３は収納ケース５１の上部に形成されたモニタ収納部の内部にモニタ５２の表示面５７が斜め上方に向くように収納されており、又、キーボード５４は収納ケース５１の内部に水平のＡ−Ａ'方向に摺動可能とされ、収納ケース５１の前面に形成された開口部５６より出し入れ可能なスライドテーブルからなるＫＵ５５に取り付けられている。
【０００３】
従って、ＫＵ５５は未使用時に、収納ケース５１の内部に収納することができ、キーボード５４の使用時のみＫＵ５５を収納ケース５１の前面の開口部５６より引き出すようにして、キーボード５４の保護お及び収納ケース５１自体の省スペース化を図っていた。
【０００４】
然し、上記構成に於いては、モニタ５２の視認性を向上させるために、ＭＵ５３を収納ケース５１の上面部５１ａに傾斜させて収納してあり、このＭＵ５３の最下部５８は収納ケース５１内部にまで深く突出することになる。従って、ＫＵ５５を収納ケース５１の内部に収納した際に、ＭＵ５３の最下部５８との干渉を防止するために、キーボード５４の操作面をＭＵ５３の最下部５８より下に所定の間隔をおいて、配設して水平移動させている。このため、ＫＵ５５を収納ケース５１の開口部５６より引き出した時、ＫＵ５５に取り付けたキーボード５４の操作面と収納ケース５１の上面５１ａとの距離Ａが大きくなり、モニタ５２の表示面５７を視る操作者の視線が高くなり操作性を悪化させていた。
【０００５】
そこで、収納ケース５１の内部に効率良くＫＵ５５を収納し、ＫＵ５５を使用状態にした時、モニタ５２の操作面との距離Ａを少なくした電子機器収納装置が特許文献１に開示されている。
【０００６】
図５は、特許文献１に開示された電子機器収納装置の側面図であり、図５に於いて、電子機器５０の収納ケース５１は、収納ケース５１の上面５１ａに一体に形成されたＭＵ５３と、収納ケース５１の左右側板内部に摺動可能に取付けられた一対のスライド板５９と、このスライド板５９の間に摺動可能に取付けられた機器取り付テーブル６０とから構成され、この機器取り付テーブル６０を収納ケース５１の前面の開口部５６より出し入れ可能にしている。
【０００７】
スライド板５９には、夫々一対の第１の摺動手段６１と第２の摺動手段６２が形成されている。この内、スライド板摺動溝を構成する第１の摺動手段６１は、スライド板５９を斜め方向に斜行させる斜行溝６１ａ、６１ｂと、この斜行溝６１ａ、６１ｂに連続して形成され且つ、スライド板５９を上方に移動させた状態で保持する保持溝６１ｃ、６１ｄとから構成される。この保持溝６１ｃ及び６１ｄにはそれぞれ、収納ケース５１の内面に固着させた係合ピン６３ａ及び６３ｂを摺動可能に係合させている。
【０００８】
又、第２の摺動手段６２は、機器取り付テーブル６０を斜め方向に移動させる斜行溝６２ａが形成されると共に、斜行溝６２ｂと、当該斜行溝６２ｂに連続し且つ機器取り付テーブル６０を回動させ、水平状態で保持する回動保持溝６２ｃとから形成されている。
【０００９】
機器取り付テーブル６０は、キーボード５４を取付ける機器取り付部と、この機器取り付部の両端を屈曲させた側板部を備え、この側板部には係合ピン６２ｄ、６２ｅが固着されている。これら係合ピン６２ｄ、６２ｅをそれぞれ第２の摺動種手段６２の斜行溝６２ａ及び回動保持溝６２ｃに摺動可能に係合させている。
【００１０】
そして、ＭＵ５３はモニタ５２の表示面５７の視認性を向上させるため、モニタ５２の軸線イを収納ケース５１の垂直方向に対し傾斜させて収納している。このため、ＭＵ５３の最下部５８は収納ケース５１内に深く突出され、収納ケース５１の高さを高くする要因となる。
【００１１】
即ち、特許文献1に於いては、機器取り付けテーブル６０を収納ケース５１から手動により引き出す際に機器取り付けテーブル６０を収納ケース５１に対し斜めに摺動させるようにし、更に、引き出すとスライド板５９が収納ケース５１に対し斜めに摺動するようにし、収納ケース５１の上面部５１ａの近傍にキーボード５４の作業面を位置させるようにしている。
【００１２】
又、スライド板５９に形成した第１の摺動手段６１及び第の摺動手段６２に、機器取り付テーブル６０に設けた係合ピン６２ｄ、６２ｅをそれぞれ摺動可能に係合させ、使用時には、機器取り付テーブル６０を傾斜させた状態で摺動させ、回動保持孔部６２ｃに沿って機器取り付テーブル６０を回動させて水平に保持させている。
【特許文献１】特開平８−１３９４６３号公報
【発明の開示】
【発明が解決しようとする課題】
【００１３】
然し、上述の図４及び図５で説明した、従来技術に開示された電子機器収納装置によると、
（１）電子機器５０の収納ケース５１に対し、モニタ５２を収納したＭＵ５３が傾斜し、収納ケース５１の上面部５１ａから上方に突出した状態で固定されているので、図４及び図５に示す電子機器５０の全体の高さＢが高くなり、電子機器が大型化する。
（２）図４に示す電子機器収納装置では、収納ケース５１に傾斜して固定したＭＵ５３の最下部５８と摺動自在に収納ケース５１内に収納されたＫＵ５５のキーボード５４の操作面間に所定の間隔をあけなくてはならず、収納ケース５１の高さが高くなり、電子機器５０のモニタ５１の上方の先端までに必要な高さＢは更に、高くなり電子機器が大型化する。
（３）図５に示す電子機器収納装置では、（２）で説明したキーボード５４の操作面間に所定の間隔をあけなくてはならい課題は解消されるが、ＭＵ５３が収納ケース５１の上面から突出して、傾斜して固定されさているために携帯や運搬に不便となると共に電子機器の移動時にモニタ５２が周囲の障害物に当たって、破損する等の課題を有していた。
【００１４】
本発明は叙上の課題を解消するために成されたもので、収納ケース内に少なくとも操作部を有する第１の電子機器ユニット及び少なくとも表示部を有する第２の電子機器ユニットを収納可能にした電子機器に於いて、第１の電子機器ユニットを収納ケースの開口部から摺動可能に排出する際に、第２の電子機器ユニットの表示部を収納ケース内で使用者側に向けるようにして視認し易い様にすると共に電子機器をコンパクトに構成した電子機器及び電子機器ユニットの排出方法を提供することを目的とするものである。
【課題を解決するための手段】
【００１５】
上述の課題を解決するための第１の本発明の電子機器は、収納ケース内に少なくとも操作部を有する第１の電子機器ユニット及び少なくとも表示部を有する第２の電子機器ユニットを収納可能にした電子機器に於いて、前記第１の電子機器ユニットを前記収納ケースの開口部から摺動可能に排出する際に、前記第２の電子機器ユニットの前記表示部を該収納ケース内で使用者側に向けるようにしてなるものである。
【００１６】
上述の課題を解決するための第２の本発明の電子機器は、収納ケース内に第１の電子機器ユニット及び第２の電子機器ユニットを収納可能にした電子機器に於いて、前記収納ケースに固定され、断面を略コ字状に形成した左右側面の前部に第１の枢着部を有するメインシャーシと、前記メインシャーシに摺動可能に保持され断面を略コ字状に形成した左右側板の後部に第２の枢着部を設け少なくとも操作部を固定した前記第１の電子機器ユニットを固定する第１の摺動手段と、断面を略コ字状に形成した左右側板の前方に前記第１の枢着部と回動可能に枢着される第３の枢着部を形成すると共に該左右側板に前後方向に傾斜したガイド溝を形成し、該ガイド溝に前記第２の枢着部を摺動可能に保持し、少なくとも表示部或いは記録媒体の挿入口を有する前記第２の電子機器ユニットを固定する第２の摺動手段とを備えたものである。
【００１７】
上述の課題を解決するための第３の本発明の電子機器ユニットの排出方法は、収納ケース内に少なくとも操作部を有する第１の電子機器ユニット及び少なくとも表示部を有する第２の電子機器ユニットを収納可能にした電子機器ユニットの排出方法に於いて、前記第１の電子機器ユニットを前記収納ケースの開口部から摺動して排出する際に、前記第２の電子機器ユニットの前記表示部を該収納ケース内で使用者側に向けるようにしてなるものである。
【発明の効果】
【００１８】
本発明によれば、第２の電子機器ユニットの表示部を収納ケース内で使用者側に向けるようにして視認し易い様にすると共に第１の電子機器ユニットを収納ケースの上部に突出させることなく収納可能でコンパクトに構成した電子機器及び電子機器ユニットの排出方法を得ることが出来る効果を有する。
【発明を実施するための最良の形態】
【００１９】
以下、本発明の1形態例の電子機器及び電子機器ユニットの排出方法を、放送局で使用する編集作業用の第１の電子機器ユニット及び第２の電子機器を携帯用に収納ケースに収納した音響信号再生装置に適用した構成を図１乃至図３に示す。
【００２０】
以下、図面に基づいて本発明の１形態例を説明する。図１は、音響信号再生装置の１形態を示す分解斜視図、図２（Ａ）（Ｂ）は、音響信号再生装置内に第２の電子機器ユニットを収納及び取り出した状態の斜視図、図３（Ａ）乃至（Ｃ）は、音響信号再生装置の動作を説明するための側断面図である。
【００２１】
図１に於いて、電子機器を構成する音響信号再生装置１は前面に開口部２を有する略箱型に形成した金属或いは合成樹脂の収納ケース３の左右側板に携帯に便なる様に１対の把手４を固定し、開口部２の左右端には、メインシャーシ７を固定するための雌ネジ６を形成した１対のＬ字状金具５を収納ケース３の左右側板内に固定する。
【００２２】
メインシャーシ７は略長方形状の板金の左右を上方に折り返し、略コ字状に形成した、左右側板８Ｌ、８Ｒの前部を左右に９０度に折り返した取り付け部
９Ｌ、９Ｒに透孔１０を穿ち、取り付け用の雄ネジ１１によりＬ字状金具５の雌ネジ６に螺合させて収納ケース３にメインシャーシ７を固定する様に成されている。
【００２３】
メインシャーシ７の左右側板８Ｌ、８Ｒの前部上部には後述す第２の摺動手段１４に形成した軸１３Ｌ、１３Ｒが嵌合される軸受１２Ｌ、１２Ｒが形成されている。
【００２４】
第２の摺動手段を構成するチルトベース（以下、ＣＢと記す）１４は略長方形状の金属板を左右上方に折り返して略コ字状に形成した左右側板１４Ｌ、１４Ｒには、前方から後方に向かって下方向に傾斜する左右のガイド溝１５Ｌ、１５Ｒを形成する。この左右側板１４Ｌ、１４Ｒの前部には前記した外側に向かって１対の軸１３Ｌ、１３Ｒを立設する。左右側板１４Ｌ、１４Ｒの前方は左右に９０度に折り曲げられた折り曲げ部を形成し、この折り曲げ部に４つの雌ネジ６を形成する。
【００２５】
ＣＢ１４には少なくともＬＣＤ等の表示部１６ａを有するメインユニット１６が固定される。メインユニット１６のパネルには左右にスピーカ１６ｂ、１６ｃが配され、中央部に表示部１６ａが配され、左右端には透孔１０が穿たれ、４つの雄ネジ１１によりＣＢ１４の左右側板１４Ｌ，１４Ｒの折り曲げ部に形成した４つの雌ネジ６に螺合させて、ＣＢ１４にメインユニット１６を固定することで第２の電子機器ユニット２４を構成する。
【００２６】
上述のメインユニット１６の筐体内には図示しないが、ＨＤＤ（Hard Disk Drive）や再生部及び制御部（ＣＰＵ）を備えている。ＨＤＤには複数の楽曲等の音響信号が記録され、表示部１６ａにはＨＤＤに記録されている楽曲の内容を表示する。メインユニット１６を構成する筐体の背面坂には電源用ケーブル２１や操作部１８と接続されたコネクタケーブル２２が配設されている。メインユニット１６のＣＰＵは、操作部１８から出力された指示信号に応じてＨＤＤに記録された楽曲を再生する様に再生部を制御する。再生部はＣＰＵの制御に応じてＨＤＤに記録された音響信号を再生し、スピーカ１６ｂ、１６ｃに出力する。スピーカ１６ｂ、１６ｃは再生部から出力された音響信号を再生する。
【００２７】
第１の摺動手段を構成するスライドベース（以下、ＳＢと記す）１７は略長方形状の金属板を左右上方に折り返して略コ字状に形成した左右側板１７Ｌ、１７Ｒの上面前方には底面に略平行な折り曲げ部を形成し、この折り曲げ部に４つの雌ネジ６を形成すると共に前方にはＳＢ１７を引き出すための把手部１７ａを形成し、左右側板１７Ｌ、１７Ｒの後部上方に内方向に突出したガイドピン１９Ｌ、１９Ｒを形成する。左右側板１７Ｌ、１７Ｒの外側面にはスライドレール２０Ｌ、２０Ｒが固定され、このスライドレール２０Ｌ、２０Ｒがメインシャーシ７の左右側板の内面に摺動可能に保持されることで、ＳＢ１７はメインシャーシ７の前後方向にスライド可能に保持される。
【００２８】
ＳＢ１７には少なくともキーボード等の操作部１８が固定される。操作部１８の操作面１８ａには複数の操作用キー群が配され、操作面１８ａの左右端には透孔１０が穿たれ、４つの雄ネジ１１によりＳＢ１７の左右側板１７Ｌ，１７Ｒの折り曲げ部に形成した、４つの雌ネジ６に螺合させて、ＳＢ１７に操作部１８を固定して第１の電子機器ユニット２３を構成する。
【００２９】
以下、上記した音響信号再生装置１の組み立て方法を図１により説明する。メインユニット１６をＣＢ１６の左右側板１４Ｌ、１４Ｒ間に挿入し、メインユニット１６の透孔１０に挿入した雄ネジ１１をＣＢ１４の左右側板１６Ｌ、１６Ｒの前部折り曲げ部に形成した雌ネジ６に螺合させて、メインユニット１６をＣＢ１４に固定する。
【００３０】
ＣＢ１４の軸１３Ｌ、１３Ｒは１点鎖線で示す様にメインシャーシ７の左右側板８Ｌ、８Ｒの前部上方に形成した軸受１２Ｌ、１２Ｒに左右側板８Ｌ、８Ｒの内側から挿入されてメインシャーシ７に回動可能に軸支される。メインシャーシ７は収納ケース３のＬ字状金具５に形成した雌ネジ６にメインシャーシ７の左右側板８Ｌ、８Ｒの折り曲げ部に形成した透孔１０に挿入した雄ネジ１１を螺合させることで収納ケース３に固定される。従って、ＣＢ１４は収納ケース３の左右側板に回動可能に枢着されたものであっても良い。
【００３１】
ＳＢ１７の左右側板１７Ｌ、１７Ｒの前部上面に形成した折り曲げ部にはキーボード等の操作部１８が固定される。即ち、操作部１８の左右端に形成した透孔１０に挿入した雄ネジ１１をＳＢ１７の折り曲げ部に形成した雌ネジ６に螺合させると共にＳＢ１７の左右側板１７Ｌ、１７Ｒの外側下部にスライドレール２０Ｌ、２０Ｒを溶接等で固定する。このスライドレール２０Ｌ、２０Ｒはメインシャーシ７の左右側板１２Ｌ、１２Ｒに内側からスライド可能に保持することによってメインシャーシ７に対しスライド可能に保持される。
【００３２】
上記した様に組み立てられた音響信号再生装置１の第１の電子機器ユニット２３を収納ケース３内に収納した状態と、収納ケース３から引き出した場合の動作を図２及び図３により説明する。
【００３３】
図２（Ａ）は本実施例の音響信号再生装置１の第１の電子機器ユニット２３を構成するキーボード等の操作部１８が収納ケース３内に収納された状態を示す斜視図、図２（Ｂ）は第１の電子機器ユニット２３の操作部１８を収納ケース３から引き出した状態を示す斜視図、図３（Ａ）は図２（Ａ）の動作説明用の側断面図、図３（Ｂ）は図３（Ａ）の状態からほぼ半分位置まで第1の電子機器ユニット２３を引き出した動作状態を示す側断面図、図３（Ｃ）は図２（Ｂ）に対応する操作部１８を完全に収納ケースから引き出した動作状態を示す側断面図である。
【００３４】
本例の音響信号再生装置１に於いては、図２（Ａ）及び図３（Ａ）に示す様に、音響信号再生装置１の収納ケース３内に第１の電子機器ユニット２３であるキーボード等の操作部１８を収納する場合は、第１の摺動手段であるＳＢ１７を収納ケース３内に押し込むと、ＣＢ１４のガイド溝１５Ｌ、１５Ｒに摺動可能に軸支された、ＳＢ１７に固定されたガイドピン１９Ｌ、１９Ｒがガイド溝１５Ｌ、１５Ｒの後方位置に移動し、第１の電子機器ユニット２３の操作部１８は収納ケース3内に収納される。
【００３５】
上述の押し込み動作時には、後方に水平移動するガイドピン１９Ｌ、１９Ｒは傾斜したガイド溝１５Ｌ、１５Ｒに摺接し、ＣＢ１４に上方に向かう力が加わるため、ＣＢ１４は軸１３Ｌ、１３Ｒが軸受け１２Ｌ、１２Ｒに挿入された支点２５を中心に図３（Ａ）の様に反時計方向ＣＣＷに回動するため上動するＵ方向の力が働きＣＢ１４は水平状態となるためメインユニット１６の表示部１６ａも垂直状態となる。
【００３６】
次に第１の電子機器ユニット２３であるキーボード等の操作部１８を収納ケース３から引き出し操作部１８によってメインユニット１６内のＣＰＵに指示信号を出力する場合には、ＳＢ１７の把手部１７ａを持って、収納ケース３からＳＢ１７と共に操作部１８の固定された、第１の電子機器ユニット２３を前方に引き出すと、図３（Ｂ）に示す様に、ガイドピン１９Ｌ、１９Ｒは傾斜したガイド溝１５Ｌ、１５Ｒに沿って開口部２側に前方向に移動し、更に、Ａ方向に引き出すと図３（Ｃ）に示す様に、ガイドピン１９Ｌ、１９Ｒはガイド溝１５Ｌ、１５Ｒの前部に移動する。この際、ＣＢ１４のガイド溝１９Ｌ、１９ＲはＤ方向の下向きに押される力が働き、ＣＢ１４は支点２５を中心に時計方向ＣＷの回転力が働き傾斜状態となる。
【００３７】
この時、第２の電子機器ユニット２４のＣＢ１４の最下部５８は収納ケース３の底板近傍まで下がることになるがＳＢ１７は収納ケース３の外部にあるので、ＳＢ１７に当たることは無く第２の電子機器ユニット２４の表示部は図２（Ｂ）及び図３（Ｃ）に示す様に上方に傾斜した状態に保持され、利用者の視線方向に表示面を合わせることが可能となる。
【００３８】
従って、使用者がキーボード等からなる操作部１８の操作面１８ａを操作することで、コネクタケーブル２２を介してメインユニット１６内のＣＰＵに制御用の指示信号が出力され、ＨＤＤに記録された音響信号をスピーカ１６ｂ、１６ｃから放音すると共にＨＤＤに記録されている複数の楽曲の内容が表示された表示部１６ａの表示面を利用者の視線方向に図３（Ｃ）の様に上動させることが出来る。
【００３９】
依って、本実施例の音響信号再生装置１によれば、使用者が第２の電子機器ユニット２４の表示部１６ａに表示される楽曲等の表示内容が第１の電子機器ユニット２３を収納ケース３から引き出す操作に連動して極めて視認しやすい状態にすることが出来る。
【００４０】
又、本実施例の音響信号再生装置１によれば、収納ケース３内に第１の電子機器ユニット２３を完全に収納した場合は、第１の電子機器ユニット２３と第２の電子機器ユニット２４が夫々水平状態に保持されるので、収納ケース３の全体の高さを小さく抑えることが出来る。
【００４１】
更に、本実施例の音響信号再生装置１によれば、収納ケース３の外に第１の電子機器ユニット２３を図３（Ｃ）の様に前方に引き出した場合は、第２の電子機器ユニット２４のＣＢ１４の後部の最下部５８が降下しても、第１の電子機器ユニット２３は収納ケース３の開口部２から排出されているので、第１の電子機器ユニット２３の奥行き方向を大きくすることが出来ると共に収納ケース３の高さを第１の電子機器ユニット２３と第２の電子機器ユニット２４を水平状態で収納した状態の高さと同じにすることが出来る。
【００４２】
更に、又、本実施例の音響信号再生装置１によれば、第２の電子機器ユニット２４の上動或いは降下の動作が第１の電子機器ユニット２３の前後方向Ａ−Ａの摺動によって自動的に行なわれるので、第１の電子機器ユニット２３を収納ケース３に収納時或いは操作時の切り替え動作をより確実に行うことが出来る。
【００４３】
更に、又、本実施例の音響信号再生装置１によれば、収納ケース３内に第１の電子機器ユニット２３を完全に収納した場合は、第１の電子機器ユニット２３と第２の電子機器ユニット２４が夫々収納ケース３内に保持されるので、図４や図５の様にＭＵ５３が収納ケース５１の天板より斜めに突出していないので、携帯に便利であり、音響信号再生装置１の移動時に表示部１６ａ等が周囲の障害物により破損することを防止することが出来る。
【００４４】
上述の本実施例の構成では、収納ケース３内に第１の電子機器ユニット２３及び第２の電子機器ユニット２４を収納し、使用者が第１の電子機器ユニット２３を収納ケース３から引き出す操作に連動して第２の電子機器ユニット２４の表示部１６ａに表示される楽曲等の表示内容が視認しやすい様に第２の電子機器ユニット２４の表示部１６ａを上側に向ける様に傾斜させたが、ＣＢ１４に形成したガイド溝１５Ｌ、１５Ｒの傾斜方向を反対状態にして、表示部１６ａを下方に向けるように傾斜させても良い。更に、ガイド溝１５Ｌ、１５Ｒの途中に係止溝を設けてガイドピン１９Ｌ、１９Ｒをクリックモーション的に係止溝位置で係止させ、ＳＢ１７のスライド位置に応じて所定の傾斜角度位置を選択可能にすることも出来る。
【００４５】
又、上述の構成では、第２の電子機器ユニット２４のメインユニット１６のパネル面には表示部１６ａとスピーカ１６ｂ、１６ｃを配設したが、ＤＶＤレコーダやＣＰＵのディスク駆動部のディスク挿入口や各種操作スイッチ、キー群、表示灯、コネクタ等を配設した場合でも同様の効果が得られる。
【００４６】
更に、第１の電子機器ユニット２３を収納ケース３から引き出した時に音響信号再生装置１全体の電源が「オン」となり第１の電子機器ユニット２３を収納ケース３から引き出した時に電源が「オフ」となるようにすることも出来る。この場合、メインシャーシ７とＳＢ１７との間にＳＢ１７が前方にあるか、収納ケース３内にあるかを検出するセンサを設けて電源を「オン」「オフ」させることが出来る。
【産業上の利用可能性】
【００４７】
本実施例は、本発明の電子機器の一実施例として音響信号再生装置について説明したが、本発明に適用可能な電子機器の第１の電子機器ユニット２３及び第２の電子機器ユニット２４としては、ＤＶＤレコーダ、ＣＤやＭＤ等のディスク及び磁気テープ媒体の記録又は／及び再生装置、テレビジョン受像機、コンピュータ、各種電子機器制御部の入出力装置、コンピュータの操作キー群等の入出力装置に適用可能である。
【図面の簡単な説明】
【００４８】
【図１】本発明の電子機器の１形態例の音響信号再生装置を示す組立斜視図。
【図２】音響信号再生装置内に第２の電子機器ユニットを収納及び取り出した状態の斜視図。
【図３】音響信号再生装置の動作を説明するための側断面図。
【図４】従来の電子機器の収納装置を説明するための側面図。
【図５】従来の他の電子機器の収納装置を説明するための側面図。
【符号の説明】
【００４９】
１・・・・音響信号再生装置、２・・・・開口部、３、５１・・・・収納ケース、４・・・・把手、５・・・・Ｌ字状金具、６・・・・雌ネジ、７・・・・メインシャーシ、８Ｌ、８Ｒ、１４Ｌ、１４Ｒ、１９Ｌ、１９Ｒ・・・・・左右側板、９Ｌ、９Ｒ・・・・取付部、１０・・・・透孔、  １１・・・・ネジ（雄ネジ）、１２Ｌ、１２Ｒ・・・・軸受、１３Ｌ、１３Ｒ・・・・軸、１４・・・・第１の摺動手段（ＣＢ）、１５Ｌ、１５Ｒ・・・・ガイド溝、１６・・・・メインユニット、１６ａ・・・・表示部、１７・・・・第１の摺動手段（ＳＢ）、１７ａ・・・・把手部、１８・・・・操作部、１８ａ・・・・操作面、２０Ｌ、２０Ｒ・・・・スライドレール、２１・・・・電源用ケーブル、  ２２・・・コネクタケーブル、２３・・・・第１の電子機器ユニット、２４・・・・第２の電子機器ユニット、５０・・・・電子機器、５３・・・・モニタユニット（ＭＵ）、５５・・・・キーボードユニット（ＫＵ）、６０・・・・機器取り付テーブル、５８・・・・最下部。
【図１】
2007242651.tif 000003
【図２】
2007242651.tif 000004
【図３】
2007242651.tif 000005
【図４】
2007242651.tif 000006
【図５】
2007242651.tif 000007